【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
撮像素子と、撮像準備処理の開始指示に応答して、前記撮像素子で撮像して得られた画像データを用いた自動焦点検出処理を含む撮像準備処理を行う処理手段とを有し、前記撮像準備処理の開始後に与えられた撮像指示に応答して前記撮像素子で撮像して得られた静止画と、前記撮像指示の直前の所定期間において前記撮像素子で撮像して得られた動画とを記録する撮像モードを有する撮像装置であって、
前記処理手段は、前記撮像モードにおける前記撮像準備処理における前記自動焦点検出処理において用いる画像データを前記撮像素子で撮像して得るための撮像条件として、シャッタ速度、絞り値、および撮像感度の組み合わせを被写体輝度ごとに定めたプログラム線図を用いて決定し、
前記プログラム線図が、第１の領域から第４の領域で構成され、
前記第１の領域では、開放絞り、最低シャッタ速度および最大撮像感度の組み合わせから、被写体輝度が上昇するに従って、開放絞りと最大撮像感度とを維持しながら、撮像環境における光源に起因するフリッカを抑制可能な所定のシャッタ速度まで前記シャッタ速度を上昇させ、
前記第１の領域に続く前記第２の領域では、被写体輝度が上昇するに従って、前記開放絞りと前記所定のシャッタ速度とを維持しながら、前記撮像感度を最小撮像感度まで低下させ、
前記第２の領域に続く前記第３の領域では、被写体輝度が上昇するに従って、前記開放絞りと前記最小撮像感度とを維持しながら、前記シャッタ速度を最高シャッタ速度まで増加させ、
前記第３の領域に続く前記第４の領域では、前記最小撮像感度、前記開放絞り、前記最高シャッタ速度の組み合わせから、絞りを小さくし、被写体輝度が上昇するに従って、
当該絞りと前記最小撮像感度を維持しながら、前記シャッタ速度を、当該絞りと前記最小撮像感度に対応するシャッタ速度から前記最高シャッタ速度まで増加させる、
ように前記撮像条件が定められることを特徴とする撮像装置。
【請求項２】
前記撮像素子が撮像して得られた画像データに基づいて、フリッカ光源下での撮像であるか否か及び、フリッカ周波数を検出する検出手段を有し、
前記処理手段は、前記所定のシャッタ速度の値を、前記検出手段によって検出されたフリッカ周波数の逆数の正の倍数に設定することを特徴とする請求項１記載の撮像装置。
【請求項３】
前記処理手段は、前記検出手段により、フリッカ光源下での撮像でないと検出された場合には、前記プログラム線図とは異なるプログラム線図であって、
前記開放絞り、前記最低シャッタ速度および前記最大撮像感度の組み合わせから、前記被写体輝度が上昇するに従って、前記開放絞り及び前記最低シャッタ速度を維持しながら、前記撮像感度を前記最小撮像感度まで低下させる第１の領域と、
当該第１の領域に続く第２の領域であって、輝度が上昇するに従って、前記最小撮像感度と前記開放絞りとを維持しながら、シャッタ速度を最高シャッタ速度まで増加させる第２の領域と、
当該第２の領域に続く第３の領域であって、前記最小撮像感度、前記開放絞り、前記最高シャッタ速度の組み合わせから、絞りを小さくし、被写体輝度が上昇するに従って、当該絞りと前記最小撮像感度を維持しながら、前記シャッタ速度を、当該絞りと前記最小撮像感度に対応するシャッタ速度から前記最高シャッタ速度まで増加させる第３の領域、とから構成されるプログラム線図、
を用いて、前記撮像モードにおける前記撮像準備処理における前記自動焦点検出処理において用いる画像データを前記撮像素子で撮像するための撮像条件を設定することを特徴とする請求項２記載の撮像装置。
【請求項４】
撮像指示に応答して静止画撮像を行い、当該撮像指示に応答した静止画撮像を行う前の所定期間の動画を記録する第１の撮影モードを有する撮像装置であって、
前記第１の撮影モードにおいて、撮像指示の前に行われる撮像準備処理の開始指示に応答して焦点制御を行う際に、被写体輝度の周期的な変化に対応する所定のシャッタ速度にすることを優先した露出制御を行う露出制御手段を有することを特徴とする撮像装置。
【請求項５】
前記露出制御手段は、前記第１の撮影モードにおいて前記撮像準備処理の開始指示に応答して焦点制御を行う際に、静止画撮像時以下の絞り値にすることを優先した露出制御を行うことを特徴とする請求項４に記載の撮像装置。
【請求項６】
前記撮像装置は前記第１の撮影モードにおいて、撮像指示に応答して静止画撮像を行い、当該撮像指示および当該撮像指示に応答した静止画撮像より前の所定期間の動画を記録することを特徴とする請求項４または５に記載の撮像装置。
【請求項７】
前記撮像装置は、撮像指示に応答して静止画撮像を行い、前記所定期間の動画を記録しない第２の撮影モードをさらに有し、
前記露出制御手段は、前記撮像準備処理の開始指示に応答して焦点制御を行う際に、前記第２の撮影モードである場合よりも前記第１の撮影モードである場合の方が、前記所定のシャッタ速度にすることを優先した露出制御を行うことを特徴とする請求項４ないし６のいずれか１項に記載の撮像装置。
【請求項８】
前記所定のシャッタ速度は、被写体輝度の変化周期の整数倍であることを特徴とする請求項４ないし７のいずれか１項に記載の撮像装置。
【請求項９】
撮像素子と、撮像準備処理の開始指示に応答して、前記撮像素子で撮像して得られた画像データを用いた自動焦点検出処理を含む撮像準備処理を行う処理手段とを有し、前記撮像準備処理の開始後に与えられた撮像指示に応答して前記撮像素子で撮像して得られた静止画と、前記撮像指示の直前の所定期間において前記撮像素子で撮像して得られた動画とを記録する撮像モードを有する撮像装置の制御方法であって、
前記処理手段が、前記撮像モードにおける前記撮像準備処理における前記自動焦点検出処理において用いる画像データを前記撮像素子で撮像して得るための撮像条件として、シャッタ速度、絞り値、および撮像感度の組み合わせを被写体輝度ごとに定めたプログラム線図を用いて決定するステップを有し、
前記プログラム線図が、第１の領域から第４の領域で構成され、
前記第１の領域では、開放絞り、最低シャッタ速度および最大撮像感度の組み合わせから、被写体輝度が上昇するに従って、開放絞りと最大撮像感度とを維持しながら、撮像環境における光源に起因するフリッカを抑制可能な所定のシャッタ速度まで前記シャッタ速度を上昇させ、
前記第１の領域に続く前記第２の領域では、被写体輝度が上昇するに従って、前記開放絞りと前記所定のシャッタ速度とを維持しながら、前記撮像感度を最小撮像感度まで低下させ、
前記第２の領域に続く前記第３の領域では、被写体輝度が上昇するに従って、前記開放絞りと前記最小撮像感度とを維持しながら、前記シャッタ速度を最高シャッタ速度まで増加させ、
前記第３の領域に続く前記第４の領域では、前記最小撮像感度、前記開放絞り、前記最高シャッタ速度の組み合わせから、絞りを小さくし、被写体輝度が上昇するに従って、当該絞りと前記最小撮像感度を維持しながら、前記シャッタ速度を、当該絞りと前記最小撮像感度に対応するシャッタ速度から前記最高シャッタ速度まで増加させる、
ように前記撮像条件が定められることを特徴とする撮像装置の制御方法。
【請求項１０】
撮像指示に応答して静止画撮像を行い、当該撮像指示に応答した静止画撮像を行う前の所定期間の動画を記録する第１の撮影モードを有する撮像装置の制御方法であって、
前記第１の撮影モードにおいて撮像指示の前に行われる撮像準備処理の開始指示に応答して焦点制御を行う際に、露出制御手段が、被写体輝度の周期的な変化に対応する所定のシャッタ速度にすることを優先した露出制御を行うステップを有することを特徴とする撮像装置の制御方法。